(57)【要約】      （修正有）【課題】折り畳み携帯可能なノート型パソコン支承ベースを提供する。【解決手段】折り畳み携帯可能なノート型パソコン支承ベースは、軽くて硬いアルミを利用して、ヒンジ４１により支承座を枢接し、底座板上の支承アーム３０はパネル１０の穿孔１２内に挿入され、突出した支承片３２はノート型パソコンを支承する。支承板終端のブロック５１は、使用者の必要な角度に応じて、底座板２０の一組の挿入孔内２１に挿入され、折り畳み時、平面状になり、パソコンと共にバッグに収納できる。更に、支承板４０と同軸のもう一つの内支承板５０底部のブロックが底座板の挿入孔内に挿入されて、パネルの傾斜角度を減少させ、操作者の両手が快適にデスク上に置かれて、操作が容易である。【選択図】図１
0003130949.tif 000002
【実用新案登録請求の範囲】
【請求項１】
折り畳み携帯可能なノート型パソコン支承ベースであって、
ノート型パソコンに設置され、少なくとも一つの穿孔を有するパネルと、
一端がパネルと枢接され、もう一端が挿入孔を有する底座板と、
前記底座板上に枢接され、一端が少なくとも支承片を有し、前記パネルの穿孔を貫通して外に露出し、前記パソコンを支承する支承アームと、
前記パネル背部に枢接され、もう一端が少なくとも一つのブロックを有し、前記底座板の挿入孔内に挿入され、内側は前記支承板と同軸のもう一つの内支承板を設置し、前記内支承板底部は少なくとも一つのブロックを前記底座板の一組の挿入孔内に挿入して、前記パネルと前記パソコンの傾斜角度を減少させることを特徴とする折り畳み携帯可能なノート型パソコン支承ベース。
【請求項２】
前記底座板の底部は、回転盤を枢接し、前記支承座を任意に回転させることを特徴とする請求項１に記載の折り畳み携帯可能なノート型パソコン支承ベース。
【考案の詳細な説明】
【技術分野】
【０００１】
本考案は、折り畳み携帯可能なノート型パソコン支承ベースに関するものであって、特に、軽薄型の支承ベースが折り畳まれて平面状になり、ノート型パソコンと共にコンピュータバッグに収納できるものである。
【背景技術】
【０００２】
ノート型パソコン使用時、多くは、直接、パソコンをデスク上で開くので、使用者にとっては人体工学に符合しておらず、長時間の操作で腰痛や肩こりになる。
【０００３】
よって、各種、コンピュータの支承フレームが開発されて、パソコンを支承しているが、それらの共通の欠点は、体積が大きい、価格が高い、折り畳んで平面状にできない、パソコンと共にバッグに収納して携帯することができない、ことである。
【考案の開示】
【考案が解決しようとする課題】
【０００４】
本考案は、折り畳み携帯可能なノート型パソコン支承ベースを提供し、折り畳むと平面状になり、ノート型パソコンと共にコンピュータバッグに収納できるようにすることを目的とする。
【０００５】
本考案は、折り畳み携帯可能なノート型パソコン支承ベースを提供し、底座板底部に回転盤を枢接し、支承座がノート型パソコンを３６０度回転させ、コンピュータを移動させないで、ディスプレイを目の前に展示(SHOW)できるようにすることをもう一つの目的とする。
【課題を解決するための手段】
【０００６】
本考案は、パネル、支承板、及び、内支承板からなり、安全にノート型パソコンを挟固する。更に、支承板と同軸のもう一つの内支承板はパネルを固定し、パネルの傾斜角度を低下させ、操作者は両手をデスクに置けるので、快適で人体工学に符合するコンピュータ操作を可能にする。
【考案の効果】
【０００７】
本考案の折り畳み携帯可能なノート型パソコン支承ベースにより、折り畳むと平面状になり、ノート型パソコンと共にコンピュータバッグに収納できるようにする。
【考案を実施するための最良の形態】
【０００８】
図１、図２を参照すると、パネル１０、底座板２０、支承アーム３０、及び、支承板４０等からなる。パネル１０と底座板２０は、ヒンジ１１により一体に枢接され、支承アーム３０はヒンジ３１により底座板２０上に枢接される。支承板４０は、ヒンジ４１によりパネル１０背部と枢接される。パネル１０は、ヒンジ１１で二穿孔１２を有し、支承アーム３０両側の支承偏３２は、それぞれ、パネルの穿孔１２を貫通する。底座板２０上に数列の挿入孔２１を有し、二列の挿入孔２１が一組で、四組に分けられる。支承板４０終端は二ブロック４２を有し、それぞれ、底座板２０の一組の挿入孔２１内で定位する。支承板３０内側と支承板４０と同軸のもう一つの内支承板２０の一組の挿入孔２１内に挿入され、パネル１０の傾斜角度を減少させる（図５で示される）。つまり、ノート型パソコンの放置角度を低下させて、操作者の両手がデスク上でコンピュータを操作しやすい。
【０００９】
図３で示されるように、本考案の支承片３２上にパソコンを放置し、支承板４０の二ブロック４２が底座板２０の二挿入孔２１に挿入される前後位置が変化する時、支承片３２がパネル１０外側に突出する面積も変化し、パネル１０の傾斜角度も変化する。これにより、パソコンを放置する角度も伴って変化する。パネル１０の傾斜仰角が大きくなると、支承板４０とパネル１０（ノート型パソコン）の狭角が小さくなり、突出する支承片３２の面積も小さくなり、安全にパソコンを固定する。
【００１０】
図４で示されるように、本考案は折り畳まれて平面状になり、パソコンをコンピュータバッグに収納できる。底座板２０上の弾性を有する縄２２がパネル１０を固定し、携帯時、緩むのを防止する。支承板４０の二ブロック４２横の翼４３（図１で示される）は、平置時、支承アーム３０の二支承片３２内側を固定して、支承アーム３０が飛び出すのを防止する。本考案を開く時（図１で示される）、縄２２を底座板２０上に平置し、滑り止めパッドとして使用し、支承座がデスク上で滑移するのを防止する。
【００１１】
支承板４０上に二つのノッチ４４を設置し、使用中、ノッチ４４は出力と入力の伝送線を貫通し、整理しやすい。また、突出した支承片３２外縁はゴム製のリング４５を設置し、パソコン放置の角度が大きい時、リング４５が滑落を防止する以外に、コンピュータハウジングを傷つけるのを防止する。本考案のブロックは、軽くて硬いアルミを使用し、携帯に便利で、コストも抑制できる。
【００１２】
図６で示されるように、底座２０の底部は回転盤６０を枢接し、回転盤６０は支承座を任意で旋転させ、使用者は支承座を動かさなくても、ディスプレイを目の前に移動させることができる。
【００１３】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１４】
【図１】本考案の平面展開図である。
【図２】本考案の外観図である。
【図３】本考案の実施外観図である。
【図４】本考案の折収時の外観図である。
【図５】本考案の実施例の外観図である。
【図６】旋転時の実施例外観図である。
【符号の説明】
【００１５】
１０  パネル
１１  ヒンジ
１２  穿孔
２０  底座板
２１  挿入孔
２２  縄
３０  支承アーム
３１  ヒンジ
３２  支承片
４０  支承板
４１  ヒンジ
４３  翼
４４  ノッチ
４５  リング
５０  内支承板
５１  ブロック
６０  回転盤
【図１】
0003130949.tif 000003
【図２】
0003130949.tif 000004
【図３】
0003130949.tif 000005
【図４】
0003130949.tif 000006
【図５】
0003130949.tif 000007
【図６】
0003130949.tif 000008
【手続補正書】
【提出日】平成19年2月2日(2007.2.2)
【手続補正１】
【補正対象書類名】実用新案登録請求の範囲
【補正対象項目名】請求項２
【補正方法】変更
【補正の内容】
【請求項２】
前記底座板の底部は、回転盤を枢接し、前記パネルを任意に回転させることを特徴とする請求項１に記載の折り畳み携帯可能なノート型パソコン支承ベース。